【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
１つ以上の第１のワイヤ取付構造体を含む支持部材、
１つ以上の第２のワイヤ取付構造体を含む移動部材、
前記１つ以上の第１のワイヤ取付構造体および前記１つ以上の第２のワイヤ取付構造体のうちの少なくとも１つの部分の間に配置された接着剤、ならびに、
前記１つ以上の第１のワイヤ取付構造体および前記１つ以上の第２のワイヤ取付構造体間に延在する形状記憶合金ワイヤ
を備え、
前記形状記憶合金ワイヤは、前記１つ以上の第１のワイヤ取付構造体、前記１つ以上の第２のワイヤ取付構造体、および前記接着剤に結合される、サスペンションアセンブリ。
【請求項２】
前記接着剤は、前記１つ以上の第１のワイヤ取付構造体および前記１つ以上の第２のワイヤ取付構造体のうちの少なくとも１つの少なくとも１つの側部から延在している、請求項１に記載のサスペンションアセンブリ。
【請求項３】
１つ以上の第１のワイヤ取付構造体を含む支持部材、
１つ以上の第２のワイヤ取付構造体を含む移動部材、
前記１つ以上の第１のワイヤ取付構造体および前記１つ以上の第２のワイヤ取付構造体間に延在してそこに結合する形状記憶合金ワイヤ、ならびに、
前記１つ以上の第１のワイヤ取付構造体および前記１つ以上の第２のワイヤ取付構造体のうちの少なくとも１つの側部に近接した前記形状記憶合金ワイヤの部分に配置された接着剤
を備えるサスペンションアセンブリ。
【請求項４】
前記接着剤は、前記１つ以上の第１のワイヤ取付構造体の部分の間に配置されておらず、前記接着剤は、導電性接着剤である、請求項１または３に記載のサスペンションアセンブリ。
【請求項５】
前記接着剤は、前記１つ以上の第１のワイヤ取付構造体および前記１つ以上の第２のワイヤ取付構造体のうちの少なくとも１つの間から延在している、請求項３に記載のサスペンションアセンブリ。
【請求項６】
前記１つ以上の第１のワイヤ取付構造体および前記１つ以上の第２のワイヤ取付構造体のうちの少なくとも１つの少なくとも１つの側部の間およびそこから延在している少なくとも１つのストレイン緩和部材をさらに備え、前記形状記憶合金ワイヤは、前記少なくとも１つのストレイン緩和部材の間に延在しており、そこに結合され、前記接着剤は、前記少なくとも１つのストレイン緩和部材の側部に近接して配置されている、請求項１または３に記載のサスペンションアセンブリ。
【請求項７】
前記接着剤は、前記少なくとも１つのストレイン緩和部材の間に延在している、請求項６に記載のサスペンションアセンブリ。
【請求項８】
前記接着剤は、４０メガパスカル〜２０００メガパスカルの間のヤング率を有する、請求項３に記載のサスペンションアセンブリ。
【請求項９】
前記接着剤は、シアノアクリレートからなる、請求項３に記載のサスペンションアセンブリ。
【請求項１０】
前記接着剤は、１００パーセント〜３００パーセントの間のストレイン破断伸びを有する、請求項３に記載のサスペンションアセンブリ。
【請求項１１】
前記接着剤は少なくとも２つの接着剤からなり、前記少なくとも２つの接着剤のうちの第１の接着剤は、前記少なくとも２つの接着剤のうちの第２の接着剤よりも低いヤング率を有する、請求項３に記載のサスペンションアセンブリ。
【請求項１２】
１つ以上の第１のワイヤ取付構造体を含む支持部材、
１つ以上の第２のワイヤ取付構造体を含む移動部材、
前記１つ以上の第１のワイヤ取付構造体および前記１つ以上の第２のワイヤ取付構造体のうちの少なくとも１つの側部から延在するプラットフォーム部分、
前記プラットフォーム部分に配置された接着剤、ならびに、
前記１つ以上の第１のワイヤ取付構造体および前記１つ以上の第２のワイヤ取付構造体間に延在して、前記１つ以上の第１のワイヤ取付構造体、前記１つ以上の第２のワイヤ取付構造体および前記接着剤に結合される形状記憶合金ワイヤ
を備えるサスペンションアセンブリ。
【請求項１３】
前記プラットフォーム部分は、前記１つ以上の第１のワイヤ取付構造体および前記１つ以上の第２のワイヤ取付構造体のうちの少なくとも１つと非一体である、請求項１２に記載のサスペンションアセンブリ。
【請求項１４】
前記接着剤は、非導電性接着剤である、請求項１、３および１２のいずれか一項に記載のサスペンションアセンブリ。
【請求項１５】
前記接着剤は、９０未満のショア(Ｓｈｏｒｅ)ＯＯデュロメータを有する、請求項１２に記載のサスペンションアセンブリ。
【請求項１６】
前記１つ以上の第１のワイヤ取付構造体および前記１つ以上の第２のワイヤ取付構造体のうちの少なくとも１つの部分の間に配置された接着剤をさらに備える、請求項１２に記載のサスペンションアセンブリ。
【請求項１７】
前記プラットフォーム上に配置された前記接着剤と、前記１つ以上の第１のワイヤ取付構造体および前記１つ以上の第２のワイヤ取付構造体のうちの少なくとも１つの部分の間に配置された前記接着剤とは、同じ接着剤である、請求項１６に記載のサスペンションアセンブリ。
【請求項１８】
前記１つ以上の第１のワイヤ取付構造体および前記１つ以上の第２のワイヤ取付構造体は、クリンプを含む、請求項１２に記載のサスペンションアセンブリ。
【請求項１９】
接着剤を含むサスペンションアセンブリの製造方法であって、
１つ以上の第１のワイヤ取付構造体を含む支持部材、
１つ以上の第２のワイヤ取付構造体を含む移動部材、ならびに、
前記１つ以上の第１のワイヤ取付構造体および前記１つ以上の第２のワイヤ取付構造体に結合され、それらの間に延在する形状記憶合金ワイヤ
を含む前記サスペンションアセンブリを受けること、
前記１つ以上の第１のワイヤ取付構造体および前記１つ以上の第２のワイヤ取付構造体のうちの少なくとも１つの側部に近接して接着剤を配置すること、
前記１つ以上の第１のワイヤ取付構造体のうちの少なくとも１つに関する出射角度に前記形状記憶合金ワイヤを維持すること、および、
前記接着剤を硬化させること
を備える方法。
【請求項２０】
出射角度に前記形状記憶合金ワイヤを維持することは、前記形状記憶合金ワイヤに電気駆動信号を印加することを含む、請求項１９に記載の方法。
【請求項２１】
前記形状記憶合金ワイヤに電気駆動信号を印加することはさらに、前記サスペンションアセンブリをある温度に加熱することを備え、前記接着剤を硬化することは、ある時間だけ前記温度を維持することを備える、請求項２０に記載の方法。
【請求項２２】
前記接着剤は、前記１つ以上の第１のワイヤ取付構造体および前記１つ以上の第２のワイヤ取付構造体のうちの少なくとも１つの間に延在している、請求項１９に記載の方法。
【請求項２３】
前記１つ以上の第１のワイヤ取付構造体および前記１つ以上の第２のワイヤ取付構造体のうちの少なくとも１つの少なくとも１つの側部の間およびそこから延在している少なくとも１つのストレイン緩和部材をさらに備え、前記形状記憶合金ワイヤは、前記少なくとも１つのストレイン緩和部材の間に延在しており、そこに結合され、前記接着剤は、前記少なくとも１つのストレイン緩和部材の側部に近接して配置されている、請求項１９に記載の方法。
【請求項２４】
前記接着剤は、前記少なくとも１つのストレイン緩和部材の間に延在している、請求項２３に記載の方法。
【請求項２５】
出射角度に前記形状記憶合金ワイヤを維持することは、ワイヤストップピンを有する固定具を使用することを含む、請求項１９に記載の方法。